(57)【特許請求の範囲】
【請求項１】
物品に関連づけて取り扱われる無線タグ回路素子の識別情報を無線通信を介して取得する識別情報取得手段を有する無線タグ読み取り装置であって、
少なくとも前記物品の名称を含む物品情報を表示するための表示手段と、
前記表示手段の表示能力情報を含む、当該無線タグ情報読み取り装置の動作に関する動作関連情報を、当該表示能力情報に応じた表示態様となるように前記物品情報を加工する情報加工手段を備えた管理サーバへ、所定のタイミングで出力する第１情報出力手段と、
前記識別情報取得手段で取得した前記無線タグ回路素子の識別情報を、前記管理サーバへ出力する第２情報出力手段と、
前記管理サーバの前記情報加工手段により前記表示能力情報に応じた表示態様となるように加工された、前記識別情報に対応する前記物品情報を、前記管理サーバより取得する物品情報取得手段と
を有することを特徴とする無線タグ情報読み取り装置。
【請求項２】
請求項１記載の無線タグ情報読み取り装置において、
前記物品情報取得手段は、
前記表示能力情報に応じた表示態様となるように前記情報加工手段でイメージデータに加工された前記物品情報を、前記管理サーバより取得し、
前記表示手段は、
当該イメージデータを表示することを特徴とする無線タグ情報読み取り装置。
【請求項３】
請求項１記載の無線タグ情報読み取り装置において、
前記物品情報取得手段は、
前記表示能力情報に応じた表示態様となるように前記情報加工手段で文字・図像データ及びその表示位置データを含むデータに加工された前記物品情報を、前記管理サーバより取得し、
前記表示手段は、
前記文字・図像データ及び前記表示位置データに応じて生成された表示画像を表示することを特徴とする無線タグ情報読み取り装置。
【請求項４】
請求項２又は３記載の無線タグ情報読み取り装置において、
前記物品情報取得手段は、
表示させる情報の項目、若しくは、表示させる文字列のフォントやサイズ、若しくは、表示させる文字列の配置や枠組み、を含む配置レイアウトが、前記表示能力情報に応じた表示態様となるように前記情報加工手段で加工された前記物品情報を、前記管理サーバより取得する
ことを特徴とする無線タグ情報読み取り装置。
【請求項５】
請求項１乃至３のいずれか１項記載の無線タグ情報読み取り装置において、
前記第１情報出力手段は、
前記動作関連情報として、前記表示能力情報に加え、前記識別情報取得手段における通信特性情報を、前記管理サーバへ出力することを特徴とする無線タグ情報読み取り装置。
【請求項６】
請求項１乃至５のいずれか１項記載の無線タグ情報読み取り装置において、
前記第１情報出力手段が前記動作関連情報を前記管理サーバへ出力した後に、前記識別情報取得手段が前記識別情報を取得することを特徴とする無線タグ情報読み取り装置。
【請求項７】
請求項６記載の無線タグ情報読み取り装置において、
前記第１情報出力手段は、
当該無線タグ情報読み取り装置の電源投入時に、前記動作関連情報を、前記管理サーバへ出力することを特徴とする無線タグ情報読み取り装置。
【請求項８】
請求項１乃至５のいずれか１項記載の無線タグ情報読み取り装置において、
前記第１情報出力手段は、前記所定のタイミングとして、前記識別情報取得手段が前記識別情報を取得した後、前記第２情報出力手段が前記識別情報を前記管理サーバへ出力するときに、前記動作関連情報を前記管理サーバへ出力することを特徴とする無線タグ情報読み取り装置。
【請求項９】
無線タグ情報読み取り装置で読み取られた、物品に関連づけて取り扱われる無線タグ回路素子の識別情報と、前記無線タグ情報読み取り装置に備えられた表示手段の表示能力情報を含む、前記無線タグ情報読み取り装置の動作に関する動作関連情報とを、当該無線タグ情報読み取り装置から入力する入力手段と、
この入力手段で入力した前記識別情報に対応した物品情報を検索抽出して取得する物品情報取得手段と、
この物品情報取得手段で取得した物品情報を、前記入力手段で入力した前記表示能力情報に応じた表示態様となるように加工する情報加工手段と、
この情報加工手段で前記表示能力情報に応じた表示態様となるように加工した前記物品情報を、前記無線タグ情報読み取り装置に出力する出力手段と
を有することを特徴とする無線タグ情報管理サーバ。
【請求項１０】
無線タグ情報読み取り装置と、無線タグ情報管理サーバとを備えた無線タグ情報管理システムであって、
物品に関連づけて取り扱われる無線タグ回路素子の識別情報を無線通信を介して取得する識別情報取得手段と、少なくとも前記物品の名称を含む物品情報を表示するための表示手段と、前記表示手段の表示能力情報を含む、当該無線タグ情報読み取り装置の動作に関する動作関連情報を、所定のタイミングで出力する第１情報出力手段と、前記識別情報取得手段で取得した前記無線タグ回路素子の識別情報を出力する第２情報出力手段とを、前記無線タグ情報読み取り装置に設け、
前記第２情報出力手段から出力された無線タグ回路素子の識別情報と、前記第１情報出力手段から出力され、前記表示手段の前記表示能力情報を含む前記動作関連情報とを入力する入力手段と、この入力手段で入力した前記識別情報に対応した物品情報を検索抽出して取得する物品情報取得手段と、この物品情報取得手段で取得した物品情報を、前記入力手段で入力した前記表示能力情報に応じた表示態様となるように加工する情報加工手段と、この情報加工手段で前記表示能力情報に応じた表示態様となるように加工した前記物品情報を出力する出力手段とを、前記無線タグ情報管理サーバに設け、
さらに、前記出力手段から出力され、前記情報加工手段により前記表示能力情報に応じた表示態様となるように加工された前記物品情報を取得する物品情報取得手段を、前記無線タグ情報読み取り装置に設けたことを特徴とする無線タグ情報管理システム。
【発明の詳細な説明】
【技術分野】
【０００１】
本発明は、無線通信により無線タグ回路素子の情報の読み取りを行う無線タグ情報読み取り装置、その無線タグ情報を管理する無線タグ情報管理サーバ、それら無線タグ情報読み取り装置及び無線タグ情報管理サーバを備えた無線タグ情報管理システムに関するものである。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、商品管理や検査工程等の様々な分野において実用が期待されている。
【０００３】
例えばリーダとして携帯端末（携帯電話機）を用いた従来技術として、特許文献１に記載のものがある。この従来技術では、商品に備えられた無線タグ回路素子（情報表示部）に対し携帯端末の読み取り部が非接触で情報読み取りを行い、この読み取った情報を変換回路で文字情報に変換して液晶画面に表示する。また情報表示部に備えられた情報（少なくとも識別情報を含む各種通信情報）に基づき、携帯端末よりインターネット回線を介し商品管理者側のサーバに問い合わせを行い、この問い合わせに応じサーバがデータベースより当該商品についてのさらに詳細な情報を抽出して携帯端末に返信する。携帯端末では、この返信された情報を変換回路で文字情報に変換し、液晶画面において表示するようになっている。
【特許文献１】特開２００２−２３２５８４号公報（図１、図３）
【発明の開示】
【発明が解決しようとする課題】
【０００４】
しかしながら、上記のように、無線タグ情報読み取り装置である携帯端末で読み取った無線タグ情報に応じ、サーバが対応する情報をデータベースより抽出して読み取り装置側に返信し、読み取り装置側でその返信された情報に所定の加工処理を行って表示する方式とした場合、以下のような問題が生じうる。すなわち、例えば携帯端末のように比較的簡素な構成の無線タグ情報読み取り装置を用いたときに、例えばサーバ側から返信した情報のデータ形式やデータ内容によっては携帯端末側の性能や特性がこれに対応できない畏れがある。あるいは当初は対応できていても、その後のデータベース側の更新等によるデータ形式等の変化によって対応できなくなる場合もある。このような場合、携帯端末側で、サーバ側からの情報信号受信のために無駄に多大な信号受信時間を消費したり、そのようにして受信しても結局は対応しきれない不要な情報を削除する処理等を行う必要が生じることとなって、信号処理を迅速かつ効率的に行うことができない。また、一つの携帯端末で表示形式の異なる複数種類の情報を扱う場合には、携帯端末側に複数種類の表示形式を用意する必要が生じる。
【０００５】
本発明の目的は、読み取った無線タグ情報に応じサーバ側から返信された情報の信号処理を迅速かつ効率的に行うことができる無線タグ情報読み取り装置及び無線タグ情報管理サーバ並びにそれらを備えた無線タグ情報管理システムを提供することにある。
【課題を解決するための手段】
【０００６】
上記目的を達成するために、第１の発明は、物品に関連づけて取り扱われる無線タグ回路素子の識別情報を無線通信を介して取得する識別情報取得手段を有する無線タグ情報読み取り装置であって、少なくとも前記物品の名称を含む物品情報を表示するための表示手段と、前記表示手段の表示能力情報を含む、当該無線タグ情報読み取り装置の動作に関する動作関連情報を、当該表示能力情報に応じた表示態様となるように前記物品情報を加工する情報加工手段を備えた管理サーバへ、所定のタイミングで出力する第１情報出力手段と、前記識別情報取得手段で取得した前記無線タグ回路素子の識別情報を、前記管理サーバへ出力する第２情報出力手段と、前記管理サーバの前記情報加工手段により前記表示能力情報に応じた表示態様となるように加工された、前記識別情報に対応する前記物品情報を、前記管理サーバより取得する物品情報取得手段とを有することを特徴とする。
【０００７】
本願第１発明の無線タグ情報読み取り装置においては、識別情報取得手段で無線タグ回路素子の識別情報を取得し、第２情報出力手段でその取得した識別情報を管理サーバへ出力する一方、第１情報出力手段で無線タグ情報読み取り装置自体の表示能力情報等の動作関連情報も管理サーバへ出力する。すると、管理サーバから、上記識別情報に対応する物品情報が、上記表示関連情報に対応して情報加工手段により加工された形で送られてくるので、これを物品情報取得手段で取得する。
【０００８】
このように、無線タグ情報読み取り装置側の性能・特性等の情報が管理サーバ側で把握され、管理サーバではその情報に応じた態様に加工した後の物品情報を無線タグ情報読み取り装置に送る。これにより、物品情報のデータ形式やデータ内容がどのようなものであっても、あるいはどのように変化しても、無線タグ情報読み取り装置側で受け取るときの物品情報は、その性能や特性に必ず適合した形に加工されたものとなる。これにより、性能や特性に適合しない分の情報を受け取らなくて済むため、無線タグ情報読み取り装置側で、不要な情報を選択して削除する処理等を行う必要もなくなる。この結果、無線タグ情報読み取り装置における信号処理を迅速かつ効率的に行うことができ、また信号処理回路や制御回路等の構成を簡素化することもできる。
【００１０】
特に、無線タグ情報読み取り装置側の表示手段の表示性能・特性等の表示能力情報が管理サーバ側で把握され、管理サーバではその表示能力情報に応じた表示態様に情報加工手段で加工した後の物品情報を無線タグ情報読み取り装置に送ることにより、無線タグ情報読み取り装置側では、表示性能や特性に適合しない分の情報を受け取らなくて済むため、無駄に多大な信号受信時間を消費するのを防止でき、また不要な情報を削除する処理等を行う必要もなくなる。また、一つの携帯端末で表示形式の異なる複数種類の情報を扱う場合にも、最適な物品情報を表示することが可能になる。
【００１１】
第２発明は、上記第１発明において、前記物品情報取得手段は、前記表示能力情報に応じた表示態様となるように情報加工手段でイメージデータに加工された前記物品情報を、前記管理サーバより取得し、前記表示手段は、当該イメージデータを表示することを特徴とする。
【００１２】
管理サーバは、無線タグ情報読み取り装置側の表示性能・表示特性等に対応してイメージデータに加工した物品情報を送り、無線タグ情報読み取り装置ではこれを受け取って表示手段でそのイメージデータを表示する。これにより、無線タグ情報読み取り装置側では、性能や特性に適合しない分の情報を受け取らなくて済むので信号処理を迅速かつ効率的に行うことができる。また単に受け取ったイメージデータをそのまま表示させる機能のみを備えればよいことから、信号処理回路や制御回路等の構成を確実に簡素化できる効果もある。
【００１３】
第３発明は、上記第１発明において、前記物品情報取得手段は、前記表示能力情報に応じた表示態様となるように情報加工手段で文字・図像データ及びその表示位置データを含むデータに加工された前記物品情報を、前記管理サーバより取得し、前記表示手段は、前記文字・図像データ及び前記表示位置データに応じて生成された表示画像を表示することを特徴とする。
【００１４】
管理サーバは、無線タグ情報読み取り装置側の表示性能・表示特性等に対応して文字・図像データ及びその表示位置データを含むデータに加工した物品情報を送り、無線タグ情報読み取り装置ではこれを受け取って対応する位置に対応する文字又は図像を表示するような表示画像を生成し表示手段で表示する。これにより、無線タグ情報読み取り装置側では、性能や特性に適合しない分の情報を受け取らなくて済むので信号処理を迅速かつ効率的に行うことができる。また受け取ったデータを対応する位置に表示させる文字・図像配置処理機能のみを備えればよいことから、信号処理回路や制御回路等の構成を簡素化できる効果がある。
【００１５】
第４発明は、上記第２又は第３発明において、前記物品情報取得手段は、表示させる情報の項目、若しくは、表示させる文字列のフォントやサイズ、若しくは、表示させる文字列の配置や枠組み、を含む配置レイアウトが、前記表示能力情報に応じた表示態様となるように前記情報加工手段で加工された前記物品情報を、前記管理サーバより取得することを特徴とする。
【００１６】
これにより、無線タグ情報読み取り装置の側でハードウェアやソフトウェアの変更を行わずとも、表示手段が表示する物品情報の項目やそれらの表示態様を管理サーバ側で一元的に管理できる。例えば、表示手段が表示する情報の項目に管理者の電子メールのアドレスを追加したり、他の項目を削除したりすることも管理サーバ側における設定を変更するだけで可能となる。また、例えば複数の無線タグ情報読み取り装置がある場合にハードウェアの仕様が異なる場合でも、それぞれの表示手段に関する表示能力情報を管理サーバ側で受信することで、それぞれの表示手段の仕様に適合した表示態様で個別に物品情報を加工することができる。
【００１７】
第５発明は、上記第１乃至第３発明のいずれかにおいて、前記第１情報出力手段は、前記動作関連情報として、前記表示能力情報に加え、前記識別情報取得手段における通信特性情報を、前記管理サーバへ出力することを特徴とする。
【００１８】
無線タグ情報読み取り装置側の識別情報取得手段における送信電力・送信周波・アンテナ指向性・アンテナ感度等の通信特性情報が管理サーバ側で把握され、管理サーバではその情報に応じた態様に加工した後の物品情報を無線タグ情報読み取り装置に送ることにより、無線タグ情報読み取り装置側では、当該通信特性に対応した情報を受け取ることができるため、無駄に多大な信号受信時間を消費するのを防止でき、また当該通信特性に適した情報を容易にユーザに示すことができる。
【００１９】
第６発明は、上記第１乃至５のいずれかにおいて、前記第１情報出力手段が前記動作関連情報を前記管理サーバへ出力した後に、前記識別情報取得手段が前記識別情報を取得することを特徴とする。
【００２０】
第１情報出力手段で無線タグ情報読み取り装置自体の表示能力情報や通信特性情報等の動作関連情報を管理サーバへ出力した後、識別情報取得手段で取得した無線タグ回路素子の識別情報を第２情報出力手段から管理サーバへ出力し、これに応じて、管理サーバから送られてくる、動作関連情報に対応して加工された物品情報を物品情報取得手段で取得することができる。またこの場合、例えば最初の無線タグ回路素子の読み取りで第１情報出力手段から動作関連情報を出力し、サーバ側で対応する設定を行ってしまうことで、それ以降の無線タグ回路素子の読み取りでは第１情報出力手段からの動作関連情報の出力は省略し、第２情報集力手段の識別情報のみの出力とすることも可能となる。
【００２１】
第７発明は、上記第６発明において、前記第１情報出力手段は、当該無線タグ情報読み取り装置の電源投入時に、前記動作関連情報を、前記管理サーバへ出力することを特徴とする。
【００２２】
これにより、電源投入後、最初の無線タグ回路素子の読み取りで第１情報出力手段から動作関連情報を出力し、サーバ側で対応する設定を行ってしまうことで、それ以降の無線タグ回路素子の読み取りでは第１情報出力手段からの動作関連情報の出力は省略し、第２情報集力手段の識別情報のみの出力とすることが可能となる。
【００２３】
第８発明は、上記第１乃至第５発明のいずれかにおいて、前記第１情報出力手段は、前記所定のタイミングとして、前記識別情報取得手段が前記識別情報を取得した後、前記第２情報出力手段が前記識別情報を前記管理サーバへ出力するときに、前記動作関連情報を前記管理サーバへ出力することを特徴とする。
【００２４】
第１情報出力手段からの動作関連情報の管理サーバへの出力と、第２情報出力手段からの識別情報の管理サーバへの出力とを略同時に行い、これに応じて、管理サーバから送られてくる、動作関連情報に対応して加工された物品情報を物品情報取得手段で取得することができる。特に、前記識別情報取得手段の送信出力など、識別情報取得時毎に状態を変えられる情報は、識別情報取得時毎に管理サーバに動作関連情報を送信することで、最適な物品情報を物品情報取得手段で取得することができる。
【００２５】
上記目的を達成するために、第９発明は、無線タグ情報読み取り装置で読み取られた、物品に関連づけて取り扱われる無線タグ回路素子の識別情報と、前記無線タグ情報読み取り装置に備えられた表示手段の表示能力情報を含む、前記無線タグ情報読み取り装置の動作に関する動作関連情報とを、当該無線タグ情報読み取り装置から入力する入力手段と、この入力手段で入力した前記識別情報に対応した物品情報を検索抽出して取得する物品情報取得手段と、この物品情報取得手段で取得した物品情報を、前記入力手段で入力した前記表示能力情報に応じた表示態様となるように加工する情報加工手段と、この情報加工手段で前記表示能力情報に応じた表示態様となるように加工した前記物品情報を、前記無線タグ情報読み取り装置に出力する出力手段とを有することを特徴とする。
【００２６】
本願第９発明の無線タグ情報管理サーバにおいては、無線タグ情報読み取り装置で読み取られた無線タグ回路素子の識別情報や、無線タグ情報読み取り装置自体の表示能力情報等の動作関連情報を入力手段で入力する。そして、入力した識別情報に対応した物品情報を物品情報取得手段で検索抽出して取得し、その取得した物品情報を、入力手段で入力した表示能力情報に応じた表示態様となるように情報加工手段で加工し、出力手段から無線タグ情報読み取り装置へ出力される。そして、無線タグ情報読み取り装置では、上記出力手段から出力された加工後の物品情報を、物品情報取得手段で取得する。
【００２７】
このように、管理サーバでは、無線タグ情報読み取り装置側の表示性能・表示特性等の情報を把握し、その情報に応じた態様に加工した後の物品情報を無線タグ情報読み取り装置側に送る。これにより、無線タグ情報読み取り装置でユーザに提示される項目を全て管理サーバで一括管理、制御することが可能になり、物品情報のデータ形式やデータ内容がどのようなものであっても、あるいはどのように変化しても、無線タグ情報読み取り装置側で受け取るときの物品情報は、その性能や特性に必ず適合した形に加工されたものとなる。また，無線タグ情報読み取り装置側では、その性能や特性に適合しない分の情報を受け取らなくて済むため、無駄に多大な信号受信時間を消費するのを防止でき、また不要な情報を削除する処理等を行う必要もなくなる。この結果、無線タグ情報読み取り装置における信号処理を迅速かつ効率的に行うことができ、また信号処理回路や制御回路等の構成を簡素化することもできる。
【００２８】
上記目的を達成するために、第１０発明は、無線タグ情報読み取り装置と、無線タグ情報管理サーバとを備えた無線タグ情報管理システムであって、物品に関連づけて取り扱われる無線タグ回路素子の識別情報を無線通信を介して取得する識別情報取得手段と、少なくとも前記物品の名称を含む物品情報を表示するための表示手段と、前記表示手段の表示能力情報を含む、当該無線タグ情報読み取り装置の動作に関する動作関連情報を、所定のタイミングで出力する第１情報出力手段と、前記識別情報取得手段で取得した前記無線タグ回路素子の識別情報を出力する第２情報出力手段とを、前記無線タグ情報読み取り装置に設け、前記第２情報出力手段から出力された無線タグ回路素子の識別情報と、前記第１情報出力手段から出力され、前記表示手段の前記表示能力情報を含む前記動作関連情報とを入力する入力手段と、この入力手段で入力した前記識別情報に対応した物品情報を検索抽出して取得する物品情報取得手段と、この物品情報取得手段で取得した物品情報を、前記入力手段で入力した前記表示能力情報に応じた表示態様となるように加工する情報加工手段と、この情報加工手段で前記表示能力情報に応じた表示態様となるように加工した前記物品情報を出力する出力手段とを、前記無線タグ情報管理サーバに設け、さらに、前記出力手段から出力され、前記情報加工手段により前記表示能力情報に応じた表示態様となるように加工された前記物品情報を取得する物品情報取得手段を、前記無線タグ情報読み取り装置に設けたことを特徴とする。
【００２９】
本願第１０発明の無線タグ情報管理システムにおいては、無線タグ情報読み取り装置の識別情報取得手段で無線タグ回路素子の識別情報を取得し、第２情報出力手段でその取得した識別情報を管理サーバへ出力する一方、第１情報出力手段で無線タグ情報読み取り装置自体の表示能力情報等の動作関連情報も管理サーバへ出力する。
【００３０】
これに応じて、管理サーバでは、上記第１及び第２情報出力手段からの動作関連情報及び識別情報を入力手段で入力し、入力した識別情報に対応した物品情報を物品情報取得手段で検索抽出して取得し、その取得した物品情報を、入力手段で入力した表示能力情報に応じた表示態様となるように情報加工手段で加工し、出力手段から無線タグ情報読み取り装置へ出力する。
【００３１】
そしてこれに応じて、無線タグ情報読み取り装置ではさらに、上記出力手段から出力された、表示能力情報に対応して加工された後の物品情報を、物品情報取得手段で取得する。
【００３２】
このようにして、管理サーバでは、無線タグ情報読み取り装置側の表示性能・表示特性等の情報を把握し、その情報に応じた態様に加工した後の物品情報を無線タグ情報読み取り装置側に送るようにする。これにより、無線タグ情報読み取り装置でユーザに提示される項目を全て管理サーバで一括管理、制御することが可能になり、物品情報のデータ形式やデータ内容がどのようなものであっても、あるいはどのように変化しても、無線タグ情報読み取り装置側で受け取るときの物品情報は、その性能や特性に必ず適合した形に加工されたものとなる。したがって、無線タグ情報読み取り装置側では、性能や特性に適合しない分の情報を受け取らなくて済むため、無駄に多大な信号受信時間を消費するのを防止でき、また不要な情報を削除する処理等を行う必要もなくなる。この結果、無線タグ情報読み取り装置における信号処理を迅速かつ効率的に行うことができ、また信号処理回路や制御回路等の構成を簡素化することもできる。
【発明の効果】
【００３３】
本発明によれば、読み取った無線タグ情報に応じサーバ側から返信された情報の信号処理を迅速かつ効率的に行うことができる。
【発明を実施するための最良の形態】
【００３４】
以下、本発明の一実施の形態を図面を参照しつつ説明する。
【００３５】
図１は、本実施形態の無線タグ情報読み取り装置と無線タグ情報管理サーバから構成される無線タグ情報管理システムを表すシステム構成図である。
【００３６】
この図１において、無線タグ情報管理システム３００は、通信回線Ｃを介して相互に情報を送受可能に接続されている（後述のようにこの例では携帯型の）無線タグ情報読み取り装置１と無線タグ情報管理サーバ１０１で構成されている。
【００３７】
無線タグ情報読み取り装置１は、本体ユニット２と、アンテナユニット３とを有している。本体ユニット２は、ＣＰＵ（中央演算装置）４と、上記通信回線Ｃを介して無線タグ情報管理サーバ１０１との情報信号の授受の制御を行うネットワーク通信制御部５と、例えばＲＡＭやＲＯＭ等からなるメモリ６と、操作者からの指示が入力される操作部７と、各種情報やメッセージを表示する表示部（表示手段）８と、アンテナユニット３を介し無線タグＴと行う無線通信の制御を行うＲＦ通信制御部９とを備えている（上記の各部及び無線タグＴについては後に詳述する）。
【００３８】
無線タグ情報管理サーバ１０１は、ＣＰＵ（中央演算装置）１０４と、例えばＲＡＭやＲＯＭ等からなるメモリ１０６と、各無線タグＴに関する各種タグ情報（物品情報）を無線タグＴの識別情報（タグＩＤ）に対応して記憶するタグ情報データベース１１０と、上記通信回線Ｃを介して無線タグ情報読み取り装置１との情報信号の授受の制御を行うネットワーク通信制御部１０５とを備えている。なお、タグ情報データベース１１０は、無線タグ情報管理サーバ１０１内に設けたものに限らず、何らかの通信回線を介して情報を送受可能に接続した外部のデータベースを利用してもよい。
【００３９】
なお、本実施形態では、通信回線Ｃにケーブル等を使用した有線ネットワークを想定しているが、これに限らず、無線ＬＡＮ等を用いた無線ネットワークを用いてもよい。
【００４０】
図２は、本実施形態の無線タグ情報読み取り装置１の全体概略構造を表す図であり、図２（ａ）は上面図、図２（ｂ）は図２（ａ）中II方向からみた矢視図である。
【００４１】
図２において、この無線タグ情報読み取り装置１は、本体ユニット２と、この本体ユニット２に着脱可能に取り付けられるアンテナユニット３とを有している。本体ユニット２は、筐体２Ａと、この筐体２Ａの上部（図２（ａ）中手前側）の大部分を占めるように配設された表示部８と、筐体２Ａのうち表示部８の側方（図２（ａ）中左側）に配設された操作部７及び音声報知部２１（例えばブザー、アラーム、チャイムスピーカ等）とを備えている。
【００４２】
操作部７は、適宜のキー、ボタン、スイッチ、パッド等を備えており、表示やサーチ等に係わる種々の操作入力が行えるようになっている。なお、表示部８を公知のタッチパネルとし、操作部７の機能の一部又は全部をこのタッチパネルにて行えるようにしてもよい。
【００４３】
表示部８は、この例では液晶パネル等からなっており、さらにその液晶パネルに表示させる画像データ（この例ではビットマップ方式）を記憶する画像メモリ８Ａ（前述の図１参照）を備えている。ＣＰＵ４は、この画像メモリ８Ａに画像データを入力して画像メモリ８Ａの内容を書き換えることができ、表示部８は常にその画像メモリ８Ａ上の画像データをそのまま液晶パネルに表示させるようになっている。
【００４４】
図３は、上記アンテナユニット３の構造を表す図であり、図３（ａ）は上面図、図３（ｂ）は図３（ａ）中III方向からみた矢視図である。
【００４５】
これら図３（ａ）及び図３（ｂ）において、アンテナユニット３は、ユニット基部２２と、この基部２２内に設けられ無線タグＴ（詳細は後述）への信号を送信する１つの送信アンテナ１０（図示せず、後述の図５参照）と、アンテナ支持アーム１２Ａ，１２Ｂを介し基部２２より左右に突出するように設けられ無線タグＴからの信号を受信する３つの受信アンテナ１１Ａ，１１Ｂ，１１Ｃ（後述の図５も参照）及びそれらを内包するアンテナカバー１３Ａ，１３Ｂとを備えている。なお送信アンテナ１０及び中央の受信アンテナ１１Ｃは基部２２内に設けられている。
【００４６】
基部２２は、係止具２３を備えており、これら係止具２３が本体ユニット２下面の係合部（図示せず）と係合することにより、上記本体ユニット２に対し着脱可能となっている。また、基部２２には、本体ユニット２との間でＵＨＦ帯又はマイクロ波等の高周波信号の授受を行うための４個のコネクタ（図示せず）が用意されている。
【００４７】
受信アンテナ１１Ａ，１１Ｂ，１１Ｃはアレイアンテナとして動作し、受信アンテナ１１Ａ，１１Ｂは、互いの間隔が距離ｄに設定されている。
【００４８】
図４は、上記無線タグ情報読み取り装置１の探索（サーチ）対象である物品に添付された無線タグＴに備えられた無線タグ回路素子Ｔoの機能的構成の一例を表すブロック図である。
【００４９】
図４において、無線タグ回路素子Ｔoは、無線タグ情報読み取り装置１側の上記送信アンテナ１０及び受信アンテナ１１Ａ，１１Ｂ，１１ＣとＵＨＦ帯又はマイクロ波等の高周波を用いて非接触で信号の送受信を行うアンテナ１５１(タグ側アンテナ)と、このアンテナ１５１に接続されたＩＣ回路部１５０とを有している。
【００５０】
ＩＣ回路部１５０は、アンテナ１５１により受信された搬送波を整流する整流部１５２と、この整流部１５２により整流された搬送波のエネルギを蓄積し駆動電源とするための電源部１５３と、上記アンテナ１５１により受信された搬送波からクロック信号を抽出して制御部（後述）１５７に供給するクロック抽出部１５４と、所定の情報信号を記憶し得る情報記憶部として機能するメモリ部１５５と、上記アンテナ１５１に接続された変復調部１５６と、上記整流部１５２、クロック抽出部１５４、及び変復調部１５６等を介して上記無線タグ回路素子Ｔoの作動を制御するための制御部１５７とを備えている。
【００５１】
変復調部１５６は、アンテナ１５１により受信された上記無線タグ情報読み取り装置１の送信アンテナ１０からの通信信号の復調を行うと共に、上記制御部１５７からの返信信号に基づき、送信アンテナ１５１が受信した搬送波を変調し、アンテナ１５１より反射波として再送信する。
【００５２】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００５３】
クロック抽出部１５４は受信した信号からクロック成分を抽出して制御部１５７にクロックを抽出するものであり、受信した信号のクロック成分の速度に対応したクロックを制御部１５７に供給する。
【００５４】
図５は、上記ＲＦ通信制御部９及びアンテナユニット３の詳細構成を表す機能ブロック図である。
【００５５】
図５において、アンテナユニット３は、前述したように、１つの送信アンテナ１０と、複数（この例では３つ）の受信アンテナ１１Ａ，１１Ｂ，１１Ｃとから構成されている。
【００５６】
ＲＦ通信制御部９は、上記送信アンテナ１０及び受信アンテナ１１Ａ，１１Ｂ，１１Ｃを介し上記無線タグ回路素子ＴoのＩＣ回路部１５０の情報(少なくとも識別情報を含む無線タグ情報)へアクセスする（読み取り又は書き込みを行う）ための送信部２１２及び受信部２１３と、受信アンテナ１１Ａに係わる位相制御ユニット２０１と、受信アンテナ１１Ｂに係わる位相制御ユニット２０２と、受信アンテナ１１Ｃに係わる位相制御ユニット２０３と、これら位相制御ユニット２０１，２０２，２０３からの出力を合波する加算器２０４とを有する。
【００５７】
位相制御ユニット２０１，２０２，２０３は、上記ＣＰＵ４からの位相制御信号を入力しこれに応じて受信アンテナ１１Ａ，１１Ｂ，１１Ｃにおける受信電波信号の位相を可変に設定する移相器２０５，２０６，２０７と、ＣＰＵ４からの信号を入力しこれに応じて移相器２０５，２０６，２０７から入力した信号を可変に増幅し上記加算器２０４に出力する可変ゲインアンプ(増幅率可変アンプ)２０８，２０９，２１０とを備えている。
【００５８】
送信部２１２は、無線タグ回路素子ＴoのＩＣ回路部１５０の無線タグ情報にアクセスする(読み取り／書き込みを行う)ための搬送波を発生させる水晶振動子２１５Ａ、ＰＬＬ（Phase
Locked Loop）２１５Ｂ、及びＶＣＯ（Voltage Controlled  Oscillator）２１５Ｃと、上記制御回路２０２から供給される信号に基づいて上記発生させられた搬送波を変調（この例ではＣＰＵ４からの「ＴＸ＿ＡＳＫ」信号に基づく振幅変調）する第１乗算回路２１６（但し「ＴＸ＿ＡＳＫ信号」の場合は増幅率可変アンプ等を用いてもよい）と、その第１乗算回路２１６により変調された変調波を増幅（この例ではＣＰＵ４からの「ＴＸ＿ＰＷＲ」信号によって増幅率を決定される増幅）する第１アンプ２１７とを備えている。そして、上記搬送波発生部により発生される搬送波は、そして、上記発生される搬送波は、好適にはＵＨＦ帯やマイクロ波帯の周波数を用いており、上記第１アンプ２１７の出力は、送信アンテナ１０に伝達されて無線タグ回路素子ＴoのＩＣ回路部１５０に供給される。
【００５９】
受信部２１３は、受信アンテナ１１Ａ，１１Ｂ，１１Ｃで受信され上記位相制御ユニット２０１，２０２，２０３を経て加算器２０４で合波された無線タグ回路素子Ｔoからの反射波と上記搬送波発生部により発生させられた搬送波とを乗算して復調する第２乗算回路２１８と、その第２乗算回路２１８の出力から必要な帯域の信号のみを取り出すための第１バンドパスフィルタ２１９と、この第１バンドパスフィルタ２１９の出力を増幅して第１リミッタ２２０に供給する第２アンプ２２１と、上記受信アンテナ１１Ａ，１１Ｂ，１１Ｃで受信され上記位相制御ユニット２０１，２０２，２０３を経て加算器２０４で合波された無線タグ回路素子Ｔoからの反射波と上記搬送波発生部により発生された後に移相器２２７により位相が９０°ずらされた搬送波とを乗算する第３乗算回路２２２と、その第３乗算回路２２２の出力から必要な帯域の信号のみを取り出すための第２バンドパスフィルタ２２３と、この第２バンドパスフィルタ２２３の出力を入力するとともに増幅して第２リミッタ２２４に供給する第３アンプ２２５とを備えている。そして、上記第１リミッタ２２０から出力される信号「ＲＸＳ−Ｉ」及び第２リミッタ２２４から出力される信号「ＲＸＳ−Ｑ」は、上記ＣＰＵ４に入力されて処理される。
【００６０】
また、第２アンプ２２１及び第３アンプ２２５の出力は、ＲＳＳＩ（Received  Signal  Strength  Indicator)回路２２６にも入力され、それらの信号の強度を示す信号「ＲＳＳＩ」がＣＰＵ４に入力されるようになっている。このようにして、本実施形態の無線タグ情報読み取り装置１では、Ｉ−Ｑ直交復調によって無線タグ回路素子Ｔoからの反射波の復調が行われる。
【００６１】
ＣＰＵ４は、いわゆるマイクロコンピュータで構成される中央演算処理装置であり、詳細な図示を省略するが、上記メモリ６を構成するＲＡＭの一時記憶機能を利用しつつＲＯＭに予め記憶されたプログラムに従って信号処理を行うようになっている。このＣＰＵ４は、上述した受信部２１３からの受信信号、操作部７の操作信号等を入力した後所定の演算処理を行い、上述した送信部２１２への増幅制御信号及び変調制御信号、位相制御ユニット２０１，２０２，２０３への位相制御信号、画像メモリ８Ａへの画像データ信号、音声報知部２１への音声駆動制御信号(図５では図示省略)等を出力する。
【００６２】
以上において、本実施形態の最も大きな特徴は、無線タグ情報読み取り装置１が無線タグから読み取った識別情報（タグＩＤ）と併せて無線タグ情報読み取り装置１の動作関連情報を無線タグ情報管理サーバ１０１へ送り、管理サーバ１０１がタグＩＤに対応した無線タグ情報（物品情報等）を上記動作関連情報に応じた態様となるよう加工して無線タグ情報読み取り装置１に送ることにある。以下、その詳細を順を追って説明する。
【００６３】
（Ａ）タグＩＤ読み取り動作
図６は、上記無線タグ情報読み取り装置１において、一つの無線タグＴに対するそのタグＩＤの読み取りとそれに対応するタグ情報を検索するＩＤ読み取り動作を行う際に無線タグ情報読み取り装置１と無線タグ情報管理サーバ１０１のそれぞれのＣＰＵ４，１０４によって実行される制御手順を表すシーケンスフローチャートである。図中の縦２列のフローのうち、左側の列のフローが無線タグ情報管理サーバ１０１のＣＰＵ１０４が行う制御手順であり、右側の列のフローが無線タグ情報読み取り装置１のＣＰＵ４が行う制御手順である。
【００６４】
この図６において、無線タグ情報読み取り装置１側の操作者が読み取り対象の１つの無線タグＴに対し、そのタグＩＤ（識別情報）を読み取るべく無線タグ情報読み取り装置１の操作部７を操作して読み取り操作が行われることで、このＩＤ読み取り動作のフローが開始される。
【００６５】
まずステップＳ１００で、無線タグ情報読み取り装置１のＣＰＵ４で無線タグＴのタグＩＤの読み取り処理の制御を実行する（この読み取り処理の詳細については後述の図７を参照）。
【００６６】
次のステップＳ２０では、無線タグ情報読み取り装置１のＣＰＵ４が、その動作関連情報として表示部８の画面サイズ（本実施形態の例では液晶パネルの縦横の表示画素数、又は画像メモリ８Ａの構成及び容量）やカラー表示の有無などといった表示部８に関する表示能力情報を上記ネットワーク通信制御部５、通信回線Ｃ、ネットワーク通信制御部１０５を介して無線タグ情報管理サーバ１０１のＣＰＵ１０４に送信（出力）する。なお例えばこの表示能力情報は無線タグ情報管理サーバ１０１のメモリ１０６に一旦記憶される。
【００６７】
そして上記ステップＳ２０の後、ステップＳ３０で、無線タグ情報読み取り装置１のＣＰＵ４が、上記ステップＳ１０で読み取った無線タグＴのタグＩＤを同じく上記ネットワーク通信制御部５、通信回線Ｃ、ネットワーク通信制御部１０５を介して無線タグ情報管理サーバ１０１に送信（出力）する。なお、この手順はステップＳ２０において一緒（略同時）に行うようにしても良い。あるいは逆にステップＳ３０の内容を実行した後に、ステップＳ２０を行うようにしても良い。
【００６８】
次にステップＳ４０に移り、無線タグ情報管理サーバ１０１のＣＰＵ１０４がが、タグ情報データベース１１０にアクセスして上記ステップＳ３０で受信したタグＩＤを元に対応するタグ情報をタグ情報データベース１１０から検索抽出し、メモリ１０６に一旦記憶する。この例では、無線タグＴは机、イス、戸棚などに貼り付けられる固定資産管理用の無線タグＴであり（その他、名札作成用、オフィスの書類管理用等、他の用途でもよい）、検索されるタグ情報としては例えば（管理対象の）物品名、管理部署、管理者となる（後述の図８も参照）。
【００６９】
そして、次のステップＳ５０で、無線タグ情報管理サーバ１０１のＣＰＵ１０４が、上記ステップＳ４０でデータベース１１０から抽出されメモリ１０６に記憶されたタグ情報と、上記ステップ２０で受信されメモリ１０６に記憶された表示能力情報とをメモリ１０６から読み出し、上記タグ情報を上記表示能力情報に応じて適切な表示態様（報知態様）で表示できるように加工する。具体的には、例えば、表示部８の画面サイズに応じて無線タグＴのタグＩＤ、物品名、管理部署、管理者の文字情報を適切に表示できるよう、各文字のフォント、サイズ及びそれら文字列の配置レイアウト等を調整して画像イメージを作成する（後述の図８参照）。この画像イメージは、例えば無線タグ情報読み取り装置１のビットマップ方式の画像メモリ８Ａ全体にそのまま書き込める容量の画像データ（イメージデータ）として作成される。
【００７０】
その後、次のステップＳ６０で、無線タグ情報管理サーバ１０１のＣＰＵ１０４が、上記ステップＳ５０で作成した画像データをタグ情報（物品情報）として上記ネットワーク通信制御部１０５、通信回線Ｃ、ネットワーク通信制御部５を介して無線タグ情報読み取り装置１に送信（出力）する。
【００７１】
そして、次のステップＳ７０で、無線タグ情報読み取り装置１のＣＰＵ１０４が、受信した画像データをそのまま画像メモリ８Ａに書き込むことで、表示部８の液晶パネルに適切な表示態様で無線タグＴに関するタグ情報を表示し、このフローを終了する。
【００７２】
図７は、無線タグ情報読み取り装置１のＣＰＵ４で実行される、上述したステップＳ１００の詳細手順を表すフローチャートである。
【００７３】
図７において、まずステップＳ１１０で、全方位に渡って無線タグＴからの反射波を受信できるよう受信アンテナ１１を無指向性に設定する（指向角を設定して受信する方式については後の物品探索動作の説明で詳述する）。具体的には、受信アンテナ１１Ｂ，１１Ｃに対応する可変ゲインアンプ２０９，２１０のそれぞれのゲインを０とし、これら受信アンテナ１１Ｂ，１１Ｃを実質的に非作動状態とする（図５参照）。
【００７４】
そして、次のステップＳ１２０で、上記のように受信アンテナ１１Ａのみを作動状態とした条件のもと、送信アンテナ１０より読み取り対象無線タグＴに対する呼びかけ信号である「Scroll All ID」信号を出力させる。詳細には、「ＴＸ＿ＡＳＫ」信号を生成して第１乗算回路２１６に出力し、第１乗算回路２１６で対応する上記振幅変調が行われ「Scroll
All ID」信号となる。一方ＣＰＵ４は「ＴＸ＿ＰＷＲ」信号を生成して第１アンプ２１７に出力し、第１アンプ２１７でその「ＴＸ＿ＰＷＲ」信号に基づく増幅率で上記「Scroll
All ID」信号の信号増幅が行われ、最終的に送信アンテナ１０を介し送信され、読み取り対象である（言い換えれば通信範囲内に存在する）無線タグＴの無線タグ回路素子Ｔoからの返信を促す。
【００７５】
その後、ステップＳ１３０で、上記「Scroll All ID」信号に対応して読み取り対象の無線タグＴの無線タグ回路素子Ｔoから送信された返答信号（＝リプライ信号；少なくともタグＩＤを含む無線タグ情報）を受信アンテナ１１Ａより受信し、加算器２０４及び受信部２１３を介し取り込んでこの処理を終了する。
【００７６】
図８は、このＩＤ読み取り動作の場合において無線タグ情報管理サーバ１０１から無線タグ情報読み取り装置１への画像データの送受態様を説明する説明図である。
【００７７】
この図８において、無線タグ情報管理サーバ１０１は、前述したように通信回線Ｃを介し、無線タグ情報（物品情報等）の画像データを無線タグ情報読み取り装置１へ送信している。画像データは、タグＩＤとそれに対応するタグ情報を無線タグ情報読み取り装置１の表示部８に表示させるのに適合した態様で作成されたイメージデータであり、この例ではそのまま画像メモリ８Ａに書き込むことが可能なビットマップ形式のデータである。そして、無線タグ情報読み取り装置１側では、受信したこの画像データをそのまま画像メモリ８Ａに書き込むことで、図示するように識別情報であるタグＩＤの他に、この例では無線タグ情報管理サーバ１０１で検索抽出された物品名と管理部署と管理者名をタグ情報として表示部８に表示することができる。このように、表示させるタグ情報の項目と、図示するように表示部８の画面サイズに適合した各情報の文字列のフォントやサイズ、及び文字列や枠組みなどの配置レイアウトなどは全て無線タグ情報管理サーバ１０１のＣＰＵ１０４により設定されることになる。
【００７８】
これにより、無線タグ情報読み取り装置１の側でそれぞれハードウェアやソフトウェアの変更を行わずとも、それぞれに表示させる物品情報の項目やそれらの表示態様を無線タグ情報管理サーバ１０１側で一元的に管理できる。例えば、表示させるタグ情報の項目に管理者の電子メールのアドレスを追加したり、他の項目を削除したりすることも無線タグ情報管理サーバ１０１側における設定を変更するだけで可能となる。また、例えば複数の無線タグ情報読み取り装置１がある場合にハードウェアの仕様が異なる場合でも、前述したようにそれぞれの表示部８に関する表示能力情報を無線タグ情報管理サーバ１０１側で受信することで、画像データを作成する際にはそれぞれの表示部８の仕様に適合した表示態様で個別に物品情報を加工することができる。
【００７９】
（Ｂ）物品探索動作
図９及び図１０は、上記無線タグ情報読み取り装置１において、複数の無線タグＴの中から指定条件を満たす無線タグＴの位置を探索（検索）する物品探索動作を行う際に無線タグ情報読み取り装置１と無線タグ情報管理サーバ１０１のそれぞれのＣＰＵ１，１０４によって実行される制御手順を表すシーケンスフローチャートである。各図中の縦２列のフローのうち、左側の列のフローが無線タグ情報管理サーバ１０１のＣＰＵ１０４が行う制御手順であり、右側の列のフローが無線タグ情報読み取り装置１のＣＰＵ４が行う制御手順である。
【００８０】
まず図９において、無線タグ情報読み取り装置１側の操作者が物品探索動作を行うべく無線タグ情報読み取り装置１の操作部７を操作し、無線タグ情報読み取り装置１のＣＰＵ４が当該操作者による操作に対応した操作信号を入力（識別）すると、このフローが開始される。
【００８１】
まず、ステップＳ２２０で、無線タグ情報読み取り装置１のＣＰＵ４が前述した表示能力情報を上記ネットワーク通信制御部５、通信回線Ｃ、ネットワーク通信制御部１０５を介して無線タグ情報管理サーバ１０１のＣＰＵ１０４に送信（出力）し、ステップＳ２３０で上記ステップＳ２１０の操作信号に応じてデータベースの項目一覧の呼び出し信号を送信（出力）する。
【００８２】
次のステップＳ２４０では、無線タグ情報管理サーバ１０１のＣＰＵ１０４がタグ情報データベース１１０にアクセスしてデータベース項目一覧情報（例えば、この例では物品名、管理部署、管理者などといった固定資産情報の項目の一覧であり、無線タグ情報管理サーバ１０１が備えているタグ情報データベースの検索キーを最も大別化した項目）を取得するとともに、上記ステップＳ２２０で受信した表示能力情報（ステップＳ２２０で受信されメモリ１０６に記憶されていたものを読み出した表示能力情報、以下同様）に応じてその取得したデータベースの項目一覧情報を画像データ（イメージデータ）に加工し、ステップＳ２５０で上記ネットワーク通信制御部１０５、通信回線Ｃ、ネットワーク通信制御部５を介して無線タグ情報読み取り装置１にその画像データを送信する。
【００８３】
次に、ステップＳ２６０で、無線タグ情報読み取り装置１のＣＰＵ４が上記ステップＳ２５０で受信した画像データを画像メモリ８Ａに書き込むことで、データベースの項目一覧情報を表示部８に表示させる。
【００８４】
このようにして無線タグ情報読み取り装置１の表示部８に表示されたデータベース項目一覧を見た操作者が、検索するデータベースの項目（固定資産情報の項目）を上記操作部７の操作を介して指定すると、ステップＳ２７０で、無線タグ情報読み取り装置１のＣＰＵ４が当該操作者による操作に対応した操作信号を入力（識別）する。この例では、操作者により項目「物品名」が指定された場合を示している。
【００８５】
そして、次のステップＳ２８０では、上記ステップＳ２２０と同様、無線タグ情報読み取り装置１のＣＰＵ４が上記表示能力情報を無線タグ情報管理サーバ１０１のＣＰＵ１０４に送信（出力）し、ステップＳ２９０で上記ステップＳ２７０の操作信号に応じて当該指定された項目（物品名）に関する情報信号を送信する。
【００８６】
その後、次のステップＳ３００で、無線タグ情報管理サーバ１０１のＣＰＵ１０４がタグ情報データベース１１０にアクセスして物品名の一覧情報を取得するとともに、上記ステップＳ２８０で受信した表示能力情報に応じてその取得した物品名一覧情報を画像データ（イメージデータ）に加工し、ステップＳ３１０で上記ネットワーク通信制御部１０５、通信回線Ｃ、ネットワーク通信制御部５を介して無線タグ情報読み取り装置１にその画像データを送信する。
【００８７】
次に、ステップＳ３２０で、無線タグ情報読み取り装置１のＣＰＵ４が上記ステップＳ３１０で受信した画像データを画像メモリ８Ａに書き込み、物品名一覧情報を表示部８に表示させる。
【００８８】
このようにして無線タグ情報読み取り装置１の表示部８に表示されたデータベース項目一覧を見た操作者が、探索対象の物品名（この例ではイス）を上記操作部７の操作を介して指定すると、ステップＳ３３０で、無線タグ情報読み取り装置１のＣＰＵ４が当該操作者による操作に対応した操作信号を入力（識別）する。
【００８９】
その後、ステップＳ３４０では、上記ステップＳ２２０及びステップＳ２８０と同様、無線タグ情報読み取り装置１のＣＰＵ４が上記表示能力情報を上記ネットワーク通信制御部５、通信回線Ｃ、ネットワーク通信制御部１０５を介して無線タグ情報管理サーバ１０１のＣＰＵ１０４に送信（出力）し、ステップＳ３５０で上記ステップＳ３３０の操作信号に応じて当該指定された物品名（イス）に関する情報信号を送信する。
【００９０】
次のステップＳ３６０で、無線タグ情報管理サーバ１０１のＣＰＵ１０４がタグ情報データベース１１０にアクセスして個々のイスの一覧情報を取得作成するとともに、上記ステップＳ３４０で受信した表示能力情報に応じてイス一覧情報を画像データ（イメージデータ）に加工し、ステップＳ３７０で上記ネットワーク通信制御部１０５、通信回線Ｃ、ネットワーク通信制御部５を介して無線タグ情報読み取り装置１にその画像データを送信する。なお、このイス一覧情報の作成においては、表示部８側の表示能力が対応できる範囲において、個々のイスに対応させてそれぞれの管理部署、管理者（またはその電子メールアドレス）などを併記させてもよい。
【００９１】
次に、図１０に移り、ステップ３８０で、無線タグ情報読み取り装置１のＣＰＵ４が上記ステップＳ３７０で受信した画像データを画像メモリ８Ａに書き込み、イス一覧情報を表示部８に表示させる。
【００９２】
そしてステップＳ３９０に移り、無線タグ情報読み取り装置１のＣＰＵ４が、操作者より物品名再指定操作がされたかどうかを判定する。ステップＳ３８０で無線タグ情報読み取り装置１の表示部８に表示されたイス一覧情報に操作者の探索対象のイスが含まれておらず、操作者が上記操作部７の操作を介して物品名再指定操作を行った場合には判定が満たされ、上記ステップＳ３２０（図９）に戻り、物品名一覧情報を表示部８に再表示させて探索対象の物品名を指定する操作からやり直す。
【００９３】
一方、ステップＳ３８０で無線タグ情報読み取り装置１の表示部８に表示されたイス一覧情報に操作者の探索対象のイスが含まれており、操作者が上記操作部７の操作を介して物品名再指定操作を行わなかった場合には判定が満たされず、次のステップＳ４００に移り、無線タグ情報読み取り装置１のＣＰＵ４が上記探索対象に指定したイスの情報を上記ネットワーク通信制御部５、通信回線Ｃ、ネットワーク通信制御部１０５を介して無線タグ情報管理サーバ１０１のＣＰＵ１０４に送信する。以上の手順により操作者は探索対象のイスを特定することができる。
【００９４】
そして、次のステップＳ４１０で、無線タグ情報管理サーバ１０１のＣＰＵ１０４はタグ情報データベース１１０にアクセスして上記ステップＳ４００で受信したイスの情報に対応する無線タグＴのタグＩＤ（識別情報）を検索抽出し、ステップＳ４２０でそのタグＩＤを上記ネットワーク通信制御部１０５、通信回線Ｃ、ネットワーク通信制御部５を介して無線タグ情報読み取り装置１に返信する。
【００９５】
その後、ステップＳ５００で無線タグ情報読み取り装置１のＣＰＵ４が上記ステップＳ４２０で受信したタグＩＤを用いて無線タグ探索処理を行い（後述の図１１に示すフローを参照）、ステップＳ４３０で表示部８に表示制御信号を出力してその探索結果を表示部８に表示してこのフローを終了する。
【００９６】
図１１は、無線タグ情報読み取り装置１のＣＰＵ４が実行する上述したステップＳ５００の詳細手順を表すフローチャートである。本実施形態の無線タグ情報読み取り装置１のアンテナユニット３では、３つの受信アンテナ１１Ａ，１１Ｂ，１１Ｃを備え１つの返答信号がアンテナユニット３に対し角度を持って斜めから伝搬した場合にそれら受信アンテナ１１Ａ，１１Ｂ，１１Ｃでその行路長の差だけ受信電波の位相に差が出ることを利用し、無線タグＴの存在位置検出（探索）を行うものである。
【００９７】
図１１において、まずステップＳ５１０で、探索時において受信アンテナ１１Ａ，１１Ｂ，１１Ｃの(受信)指向性を単一方向に保持しつつその方向を変化させるとき(詳細は後述)におけるある基準位置(例えば無線タグ情報読み取り装置１の真左側方向を０°)からの指向性の角度(メインローブの角度。以下適宜、指向角という)θの初期値をθ＝θSTARTに設定する。なお、このθSTARTの値は、予め本体ユニット２のメモリ６内に固定的に記憶されていてもよいし、書き換え可能に記憶されていてもよいし、探索の都度操作部７から操作者が指定入力するようにしてもよい。
【００９８】
次に、ステップＳ５２０に移り、上記指向角θと、受信アンテナ１１Ａ，１Ｂの間隔ｄ（この例では固定値）の値に応じ、受信アンテナ１１Ａ，１１Ｂ，１１Ｃに係る位相を決定し、これに対応した位相制御信号を位相制御ユニット２０１，２０２，２０３に出力する。この手順を、図１２を用いてさらに詳細に説明する。
【００９９】
図１２は、一例として、図１３に示すような指向角４５°の場合における位相決定の手順を表した図である。図１２において、受信アンテナ１１Ａ，１１Ｂ，１１Ｃの行路長の差ｌ［ｍ］は、アンテナ間隔ｄ［ｍ］に対し、
ｌ＝ｄ×ｓｉｎ４５°
＝ｄ×（１／√２）
で表される。
【０１００】
受信波の波長をλ［ｍ］とすると、移相器２０５，２０６，２０７のそれぞれの間には、次式で表される位相差φを与えればよいこととなる。
φ＝２π×（ｄ／√２）×（１／λ）
なお、上記４５°以外の角度についても、上記同様にして、指向角θの値に基づき、移相器２０５，２０６，２０７のそれぞれの間に、対応する位相差φを与えればよい。
【０１０１】
図１１における上記ステップＳ５２０の後、ステップＳ５３０で、上記のように受信アンテナ１１Ａ，１１Ｂ，１１Ｃの位相を設定した(言いかえれば指向角θを設定した)条件のもと、送信アンテナ１０より探索対象無線タグＴに対する呼びかけ信号であるScrollＩＤ信号を出力させる。詳細には、上記図１０のステップＳ４２０で無線タグ情報管理サーバ１０１より受信した探索対象無線タグＴのタグＩＤに応じた「ＴＸ＿ＡＳＫ」信号を生成して第１乗算回路２１６に出力し、第１乗算回路２１６で対応する上記振幅変調が行われアクセス情報としての「Scroll
ID」信号となる。一方ＣＰＵ４は「ＴＸ＿ＰＷＲ」信号を生成して第１アンプ２１７に出力し、第１アンプ２１７でその「ＴＸ＿ＰＷＲ」信号に基づく増幅率で信号増幅が行われ、最終的に送信アンテナ１０を介し送信され、探索対象の上記無線タグＴの無線タグ回路素子Ｔoからの返信を促す。
【０１０２】
その後、ステップＳ５４０で、上記「Scroll ID」信号に対応して探索対象の無線タグＴの無線タグ回路素子Ｔoから送信された返答信号（＝リプライ信号；少なくともタグＩＤを含む）を受信アンテナ１１Ａ，１１Ｂ，１１Ｃより受信し位相制御ユニット２０１，２０２，２０３で位相制御され、加算器２０４及び受信部２１３を介し取り込む、このときのＲＳＳＩ回路２２６からの受信信号強度信号「ＲＳＳＩ」が入力され、その値がステップＳ５５０でメモリ６内のＲＡＭ等の適宜の記憶手段(ＣＰＵ４外の外部記憶手段でもよいし、また不揮発性のものでもよい)に記憶される。
【０１０３】
そしてステップＳ５６０で、θが、予め指向角θを順次変化させるときの最終値として設定されたθEND(例えば指向角θ変化範囲)に等しくなったかどうかを判定する。最初はθ＝θSTARTであるから判定が満たされず、ステップＳ５７０で予め定められたθSTEPだけ加え、ステップＳ５３０に戻り、同様の手順を繰り返す。
【０１０４】
こうしてステップＳ５３０〜ステップＳ５７０を繰り返してθの値にθSTEPを小刻みに加え、全受信アンテナ１１Ａ，１１Ｂ，１１Ｃによって生じる指向性を単一方向に保持しつつその指向角θを徐々に変化させながら、信号送信及び受信を繰り返しその都度受信信号を記憶していく。そしてθ＝θENDになったらステップＳ５６０の判定が満たされ、ステップＳ５８０に移る。
【０１０５】
ステップＳ５８０では、(後述する探索不成功の場合を除き、)上記繰り返しの間にステップＳ５５０で記憶した信号強度に基づき、無線タグＴの存在する方向を決定する（例えば最も信号強度が大きかった指向角方向とする）。その後、ステップＳ５９０で、同様に上記信号強度に基づき、無線タグＴの存在する座標位置を決定(同定)する。これは、図１４にその一例を示すように、前述した返答信号の信号強度「ＲＳＳＩ」が小さいほど無線タグ回路素子Ｔoまでの距離が遠い傾向となるという特性を利用して行う。なお、上記座標は、例えば無線タグ情報読み取り装置１自身の所定位置を基準とした相対座標であり、その座標系における座標値が決定される(これにより、当該無線タグＴへの無線タグ情報読み取り装置１からの距離も算出されることとなる)。ステップＳ５９０が終了したら、このフローを終了する。
【０１０６】
なお、前述のステップＳ５３０〜ステップＳ５７０の繰り返しの間に、探索対象の無線タグＴからの返答信号が得られなかった場合(あるいは十分な大きさの返答信号が得られなかった場合)は、探索不成功(あるいは探索不能)とみなされ、ステップＳ５８０、ステップＳ５９０での方向・座標の計算は行われず(あるいは行われてもエラー演算となり)、このフローの終了後に戻る前述の図１０のステップＳ４３０の探索結果の表示において探索不成功(探索不能)の旨のコメント又は所定のエラー表示がなされる。その意味で、探索に成功した場合には、所定のタイミング（例えばステップＳ５８０やステップＳ５９０等）において、特に図示しない音声報知部に駆動信号を出力し、その旨の音声、アラーム音等をならすようにしてもよい。この場合、探索対象の無線タグＴを発見したことを操作者に確実に知らせることができる。
【０１０７】
以上において、無線タグ情報読み取り装置１のＣＰＵ４の実行する図６のステップＳ１００に示すタグＩＤ読み取り処理が、各請求項記載の、物品に関連づけて取り扱われる無線タグ回路素子のタグＩＤを無線通信を介して取得する識別情報取得手段に相当する。また、図６に示すステップＳ２０と、図９に示すステップＳ２２０、ステップＳ２８０、及びステップＳ３４０が、それぞれ、無線タグ情報読み取り装置１の動作に関する動作関連情報を、所定のタイミングで無線タグ情報管理サーバ１０１へ出力する第１情報出力手段に相当する。また、図６に示すステップＳ３０が上記識別情報取得手段で取得した無線タグ回路素子のタグＩＤを、無線タグ情報管理サーバ１０１へ出力する第２情報出力手段に相当する。また、図６に示すステップＳ６０が動作関連情報に応じた報知態様となるように加工された、タグＩＤに対応するタグ情報を、無線タグ情報管理サーバ１０１より取得する物品情報取得手段に相当する。
【０１０８】
また、図６に示すステップＳ２０及びＳ３０が、無線タグ情報読み取り装置１で読み取られた、物品に関連づけて取り扱われる無線タグ回路素子のタグＩＤと、無線タグ情報読み取り装置１の動作に関する動作関連情報とを、無線タグ情報読み取り装置１から入力する入力手段に相当し、ステップＳ４０が入力手段で入力した前記タグＩＤに対応したタグ情報を検索抽出して取得する物品情報取得手段に相当する。また、ステップＳ５０がこの物品情報取得手段で取得したタグ情報を、上記入力手段で入力した上記動作関連情報に応じた報知態様となるように加工する情報加工手段に相当し、ステップＳ６０が情報加工手段で加工したタグ情報を、無線タグ情報読み取り装置１に出力する出力手段に相当する。
【０１０９】
以上のように構成した本実施形態の無線タグ情報読み取り装置１においては、図６に示すステップＳ１００のタグＩＤ読み取り処理で無線タグ回路素子の識別情報（タグＩＤ）を取得し、ステップＳ３０でその取得したタグＩＤを管理サーバ１０１へ出力する一方、ステップＳ２０で無線タグ情報読み取り装置１自体の表示部８の表示能力情報の動作関連情報も無線タグ情報管理サーバ１０１へ出力すると、無線タグ情報管理サーバ１０１から、上記タグＩＤに対応するタグ情報が、上記動作関連情報に対応して加工された形で送られてくる（ステップＳ５０、ステップＳ６０）ので、これを無線タグ情報読み取り装置１側で取得する。
【０１１０】
このように、無線タグ情報読み取り装置１側の表示部８の表示性能・特性等に関する表示能力情報が無線タグ情報管理サーバ１０１側で把握され、無線タグ情報管理サーバ１０１ではその表示能力情報に応じた表示態様に加工した後のタグ情報を無線タグ情報読み取り装置１に送ることにより、タグ情報のデータ形式やデータ内容がどのようなものであっても、あるいはどのように変化しても、無線タグ情報読み取り装置１側で受け取るときのタグ情報は、その表示部８の表示性能や特性に必ず適合した形に加工されたものとなる。これにより、表示部８の表示性能や特性に適合しない分の情報を受け取らなくて済むため、従来構造のように無線タグ情報読み取り装置１側で無駄に多大な信号受信時間を消費するのを防止でき、また不要な情報を削除する処理等を行う必要もなくなる。この結果、無線タグ情報読み取り装置１における信号処理を迅速かつ効率的に行うことができ、また信号処理回路や制御回路の機能を果たすＣＰＵ４の構成を簡素化することもできる。
【０１１１】
また、この実施形態では特に、無線タグ情報管理サーバ１０１は、無線タグ情報読み取り装置１側の性能・特性等に対応してイメージデータに加工した物品情報を送り、無線タグ情報読み取り装置１ではこれを受け取って表示部８でそのイメージデータを表示する。これにより、無線タグ情報読み取り装置１側では、性能や特性に適合しない分の情報を受け取らなくて済むので信号処理を迅速かつ効率的に行うことができる。また単に受け取ったイメージデータをそのまま表示させる機能のみを備えればよいことから、前述したようにＣＰＵ４の構成及び表示部８に対する表示プログラム等を確実に簡素化できる効果もある。
【０１１２】
なお、上記実施形態において、図６のステップＳ２０等では動作関連情報として、表示部８の表示能力情報を無線タグ情報管理サーバ１０１に送信していたが、本発明はそれに限られず、図７のタグＩＤ読み取り処理に関連する性能・特性、つまり対象となる無線タグ回路素子Ｔoへの通信時のＲＦ通信制御部９によるアンテナユニット３からの送信電力、送信周波数、アンテナ指向性、アンテナゲイン、アンテナ感度等といった通信特性情報を動作関連情報として無線タグ情報管理サーバ１０１へ出力してもよい。
【０１１３】
これにより、上記通信特性情報が無線タグ情報管理サーバ１０１側で把握され、無線タグ情報管理サーバ１０１ではその情報に応じた態様に加工した後のタグ情報を無線タグ情報読み取り装置１に送ることにより、無線タグ情報読み取り装置１側では、当該通信特性に対応しない分の情報を受け取らなくて済むため、無駄に多大な信号受信時間を消費するのを防止でき、また不要な情報を削除する処理等を行う必要もなくなる。
【０１１４】
その一例としては、例えば、無線タグ情報読み取り装置１の送信電力が大きく、アンテナ指向性が広いことが分かれば、一度に多数の無線タグＴからタグＩＤを読み取ることができることが予想でき、無線タグ情報管理サーバ１０１側でそのような多数のタグＩＤに対応してタグ情報を表示する表示態様の画像データの作成を準備することができる。
【０１１５】
なお、本発明は、上記実施形態に限られるものではなく、その趣旨及び技術思想を逸脱しない範囲で種々の変形が可能である。以下、そのような変形例を順を追って説明する。
【０１１６】
(１)画像データをテキストデータと表示位置データで構成する場合
上記実施形態においては、無線タグ情報管理サーバ１０１がタグ情報をビットマップ方式のイメージデータに加工して無線タグ情報読み取り装置１へ送信していたが、これに限られない。すなわち、タグ情報を文字列で構成するテキストデータ（文字・図像データ）と、（表示部８の表示能力情報に応じ）それらテキストデータを配置する表示位置データとのみからなる画像データに加工し、無線タグ情報読み取り装置１へ送信するようにしてもよい。
【０１１７】
図１５は、そのような変形例が行うＩＤ読み取り動作の場合において、無線タグ情報管理サーバ１０１から無線タグ情報読み取り装置１へのタグ情報の送受態様を説明する説明図であり、上記実施形態の図８に相当する図である。
【０１１８】
この図１５において、無線タグ情報管理サーバ１０１が通信回線Ｃを介し無線タグ情報読み取り装置１へ送信する画像データは、無線タグ情報読み取り装置１の表示部８上（この例では液晶パネル上）のＸＹドット座標で表される表示位置データと、その表示位置データに対応して表示するテキストデータとの組合せで構成されるデータとなっている。そして、無線タグ情報読み取り装置１は、受信した画像データに基づいて各表示位置データのドット座標に対応する画像メモリ８Ａ上のアドレスから、それに対応するテキストデータのドットパターンのデータを展開させて書き込むことで、図示するようにタグＩＤ及びタグ情報を表示部８に表示させることができる。
【０１１９】
このようにして、無線タグ情報管理サーバ１０１は、無線タグ情報読み取り装置１側の性能・特性等に対応してテキストデータ（文字・図像データ）及びその表示位置データを含む画像データに加工したタグ情報を無線タグ情報読み取り装置１へ送り、無線タグ情報読み取り装置１ではこれを受け取って対応する位置に対応する文字又は図像を表示するような表示画像を生成し表示部８で表示することができる。これにより、本変形例においても、上記実施形態と同様、無線タグ情報読み取り装置１側で受け取るときのタグ情報は表示部８の表示性能や特性に適合した形に加工され、無線タグ情報読み取り装置１における信号処理を迅速かつ効率的に行うことができ、さらに受信した画像データに基づいて文字・図像データを配置する処理機能のみを備えればよいことから、ＣＰＵ４の構成を簡素化できる。
【０１２０】
(２)表示部８の表示能力情報をタグＩＤとは別にそれより前に送信する場合
上記実施形態では、無線タグ情報読み取り装置１が無線タグ情報管理サーバ１０１へタグＩＤや検索したい情報を送信するたびに表示部８の表示能力情報をほぼ同時に送信していた（図６、図９参照）が、これに限られず、表示能力情報などの動作関連情報をタグＩＤなどより前に別に送信させるようにしてもよい。
【０１２１】
例えば、本変形例によるＩＤ読み取り動作を行う場合のフローとして上記実施形態の図６に対応する図１６に示すように、ステップＳ２０Ａで無線タグ情報読み取り装置１自体の表示能力情報を無線タグ情報管理サーバ１０１へ出力した後、ステップＳ１００のタグＩＤ読み取り処理で取得した無線タグ回路素子のタグＩＤをステップＳ３０で無線タグ情報管理サーバ１０１へ出力し、これに応じて、無線タグ情報管理サーバ１０１から送られてくる、表示能力情報に対応して加工されたタグ情報をステップＳ６０で取得することができる。またこの場合、例えば最初のステップＳ２０Ａで無線タグ情報読み取り装置１から表示能力情報を出力して無線タグ情報管理サーバ１０１側で対応する設定を行ってしまうことで、それ以降の無線タグ回路素子の読み取りでは無線タグ情報読み取り装置１からの表示能力情報の出力は省略し、無線タグ情報読み取り装置１からはタグ情報のみを出力することも可能となる。
【０１２２】
なお、上記ステップＳ２０Ａや前述のステップＳ２０の無線タグ情報管理サーバ１０１への動作関連情報の送信は、無線タグ情報読み取り装置１の電源投入時に行うようにしてもよい。これにより、電源投入後に動作関連情報を出力し、無線タグ情報管理サーバ１０１側で対応する設定を行ってしまうことで、それ以降の無線タグ回路素子の読み取りでは動作関連情報の出力は省略し、タグ情報のみの出力とすることが可能となる。また、以上のように動作関連情報を１回だけ送信して無線タグ情報管理サーバ１０１側で対応する設定を行わせる場合には、他の複数の無線タグ情報読み取り装置１の動作関連情報と区別できるように、無線タグ情報読み取り装置１自身を特定できる識別情報（リーダＩＤ）も併せて送信するようにするとよい。
【０１２３】
(３)タグ情報を表示態様以外の報知態様に応じて加工する場合
上記実施形態では無線タグ情報管理サーバ１０１におけるタグ情報の加工を、表示部の表示能力情報に応じて適合するように加工したが、本発明はそれに限られず、表示態様以外の報知態様、例えば音声態様に応じて適合するように加工してもよい。この場合には、無線タグ情報読み取り装置１の音声報知部２１の能力情報を動作関連情報として無線タグ情報管理サーバ１０１に送信し、無線タグ情報管理サーバ１０１は音声報知部２１の能力情報に応じた音の高さ、音色、音量、音程パターンなどの多様な報知態様に適合するようタグ情報を加工して送信することができる。
【０１２４】
なお、以上において、無線タグＴは管理対象となる物品（上記の例では机、イス、戸棚等）に添付又は貼付等されていてもよいし、添付等が困難な場合等においては、当該が梱包される箱、容器、包装紙、添付書類等に無線タグＴを添付するあるいは同梱する等でもよく、要は、対応する物品との対応付けが失われない形のまま共に用いられれば（関連づけて取り扱われるように設けられれば）足りるものである。
【０１２５】
なお、以上で用いた「Scroll ID」「Scroll All ID」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１２６】
また、以上既に述べた以外にも、上記実施形態や各変形例による手法を適宜組み合わせて利用しても良い。
【０１２７】
その他、一々例示はしないが、本発明は、その趣旨を逸脱しない範囲内において、種々の変更が加えられて実施されるものである。
【図面の簡単な説明】
【０１２８】
【図１】本発明の一実施形態の無線タグ情報読み取り装置と無線タグ情報管理サーバから構成される無線タグ情報管理システムを表すシステム構成図である。
【図２】実施形態の無線タグ読み取り装置の全体概略構造を表す上面図、及び図２（ａ）中II方向からみた矢視図である。
【図３】図２に示したアンテナユニットの構造を表す上面図、及び図３（ａ）中III方向からみた矢視図である。
【図４】図１に示した無線タグ読み取り装置の探索対象である物品に添付された無線タグに備えられた無線タグ回路素子の機能的構成の一例を表すブロック図である。
【図５】ＲＦ通信制御部及びアンテナユニットの詳細構成を表す機能ブロック図である。
【図６】ＩＤ読み取り動作が行われた際に無線タグ情報読み取り装置と無線タグ情報管理サーバのそれぞれのＣＰＵによって実行される制御手順を表すシーケンスフローチャートである。
【図７】図６中に示したステップＳ１００の詳細手順を表すフローチャートである。
【図８】ＩＤ読み取り動作の場合において無線タグ情報管理サーバから無線タグ情報読み取り装置への画像データの送受態様を説明する図である。
【図９】物品探索動作が行われた際に無線タグ情報読み取り装置と無線タグ情報管理サーバのそれぞれのＣＰＵによって実行される制御手順を表すシーケンスフローチャートの前半部分である。
【図１０】物品探索動作が行われた際に無線タグ情報読み取り装置と無線タグ情報管理サーバのそれぞれのＣＰＵによって実行される制御手順を表すシーケンスフローチャートの後半部分である。
【図１１】図１０中に示したステップＳ５００の詳細手順を表すフローチャートである。
【図１２】位相決定の原理を説明するための説明図である。
【図１３】指向角４５°の場合の配置関係を表す説明図である。
【図１４】無線タグ回路素子までの距離と受信信号強度との関係の一例を示す図である。
【図１５】テキストデータと表示位置データで画像データを構成する変形例において、無線タグ情報管理サーバから無線タグ情報読み取り装置へのタグ情報の送受態様を説明する図である。
【図１６】表示能力情報をタグＩＤとは別にそれより前に送信する変形例において、無線タグ情報読み取り装置と無線タグ情報管理サーバのそれぞれのＣＰＵによって実行される制御手順を表すシーケンスフローチャートである。
【符号の説明】
【０１２９】
１                無線タグ情報読み取り装置
２                本体ユニット
３                アンテナユニット
４                ＣＰＵ
５                ネットワーク通信制御部
６                メモリ
７                操作部
８                表示部（表示手段）
９                ＲＦ通信制御部
１０              送信アンテナ
１１Ａ            受信アンテナ
１１Ｂ            受信アンテナ
１１Ｃ            受信アンテナ
１０１            無線タグ情報管理サーバ
１０４            ＣＰＵ
１０５            ネットワーク通信制御部
１０６            メモリ
１１０            タグ情報データベース
１５０            ＩＣ回路部
３００            無線タグ情報管理システム
Ｔ                無線タグ
Ｔo               無線タグ回路素子
【図１】
0004470222.tif 000002
【図２】
0004470222.tif 000003
【図３】
0004470222.tif 000004
【図４】
0004470222.tif 000005
【図５】
0004470222.tif 000006
【図６】
0004470222.tif 000007
【図７】
0004470222.tif 000008
【図８】
0004470222.tif 000009
【図９】
0004470222.tif 000010
【図１０】
0004470222.tif 000011
【図１１】
0004470222.tif 000012
【図１２】
0004470222.tif 000013
【図１３】
0004470222.tif 000014
【図１４】
0004470222.tif 000015
【図１５】
0004470222.tif 000016
【図１６】
0004470222.tif 000017